(57)【要約】      （修正有）【課題】衣類やバッグ、鞄などの女性の持ち物に配慮し、それらを効率よく収納できる構造の更衣用ロッカーを提供する。【解決手段】ロッカー本体２と、該本体２に開閉可能に蝶着された扉３と、ロッカー内部の上方において、両側板２１、２２の間に架設されたハンガーパイプ４とを有し、該ハンガーパイプ４は、一方の側が長腕４１と短腕４２の二腕に分岐しており、長腕４１の端部が側板２２に、他方の側の端部が側板２１に取付けられて、長腕４１を上の位置に、短腕４２を下の位置にして架設されている。【選択図】図１
0003221463.tif 000002
【実用新案登録請求の範囲】
【請求項１】
ロッカー本体と、該本体に開閉可能に蝶着された扉と、ロッカー本体内部の上方において、両側板の間に架設されたハンガーパイプとを有し、該ハンガーパイプは、一方の側が長腕と短腕の二腕に分岐しており、長腕の端部が前記両側板の一方の側板に、他方の側の端部が他方の側板に取付けられて、長腕を上の位置に、短腕を下の位置にして架設されていることを特徴とする更衣用ロッカー。
【請求項２】
前記扉の開き方向と同一方向に鏡面を引き起こし可能に蝶着された鏡が、前記扉の内面に設置されていることを特徴とする請求項1に記載の更衣用ロッカー。
【請求項３】
ロッカー内部の下方に、上下２段の棚板が設置され、上段の棚板はロッカーの底面から４４〜５２ｃｍの高さで、下段の棚板の前後長さは上段の前後長さより短く、下段の棚板の先端がロッカー背部に向かって後退した状態で設置されていることを特徴とする請求項１または２に記載の更衣用ロッカー。
【請求項４】
前記棚板がスチール製であって、前記扉の内面に小物入れが着脱可能に設置され、該小物入れは、外側面にはフックが取付けられており、収納部内部には入れ子が入れられ収納部深さが二段となっており、底板にはマグネットが取付けられていることを特徴とする請求項３に記載の更衣用ロッカー。
【考案の詳細な説明】
【技術分野】
【０００１】
本考案は更衣用ロッカーに関する。
【背景技術】
【０００２】
更衣用ロッカーは工場、事務所などに設置され、通勤に着用したコートなどの収納や業務用の制服に着替えるために通勤に着用した衣服の収納などに使用され、通常、内部構造として、衣服用ハンガーを吊るすためのハンガーパイプ、小物や靴などの履物を収納するための上下の棚板、フック、着替えた後の姿をチェックするための鏡などが取り付けられている。
【０００３】
ロッカーの内部構造は、これまでにも改良が提案されており、例えば特許文献1には収納取出しを容易にするために。複数のハンガー棒を有する回転自在のハンガー取り付けた衣服等収納用ロッカーが提案され、特許文献２には、鏡面と扉の裏面とが平行でなく角度を持つようにして取り付けることにより、扉を大きく開けることなく鏡を利用することができるようにしたロッカーが提案されている。しかしながら、前者のロッカーは構造が複雑となる割には、必ずしも取り出しが容易ではなく、後者のロッカーも扉の開度をある程度小さくすることはできるが、その効果は限定されたものである。
【０００４】
また、更衣用ロッカーは男女の区別はなく、ほぼ同じ構造のものが用いられているが、衣類やバッグ、鞄などの持ち物には差異があり、女性が便利に用いるために衣類や持物に配慮した構造とすることが望まれていた。
【先行技術文献】
【特許文献】
【０００５】
【特許文献１】実開昭６３−５４３３３号公報
【特許文献２】実開平６−７５２６３号公報
【考案の概要】
【考案が解決しようとする課題】
【０００６】
本考案の課題は、衣類やバッグ、鞄などの女性の持ち物に配慮し、それらを効率よく収納できる構造の更衣用ロッカーを提供することである。
【課題を解決するための手段】
【０００７】
本考案の更衣用ロッカーは、ロッカー本体と、該本体に開閉可能に蝶着された扉と、ロッカー本体内部の上方において、両側板の間に架設されたハンガーパイプとを有し、該ハンガーパイプは、一方の側が長腕と短腕の二腕に分岐しており、長腕の端部が前記両側板の一方の側板に、他方の側の端部が他方の側板に取付けられて、長腕を上の位置に、短腕を下の位置にして架設されていることを特徴とする。
【０００８】
さらに、前記扉の開き方向と同一方向に鏡面を引き起こし可能に蝶着された鏡が、前記扉の内面に設置されていることが好ましい。すなわち、扉が右開きであれば設置された鏡の鏡面も右開きに引き起こし可能であり、扉が左開きであれば設置された鏡の鏡面も左開きに引き起こし可能であることが好ましい。尚、右開きとは扉や鏡面を操作者の右方向に移動させるタイプであり、左開きはその逆である。
【０００９】
そして、ロッカー内部の下方に、上下２段の棚板が設置され、上段の棚板はロッカーの床面から４４〜５２ｃｍの高さで、下段の棚板の前後長さは上段の前後長さより短く、下段の先端がロッカー背部に向かって後退した状態で設置されていることが好ましく、さらに、前記棚板がスチール製であって、前記扉の内面に小物入れが着脱可能に設置され、該小物入れは、外側面にはフックが取付けられており、収納部内部には中子が入れられ収納部深さが二段となっており、底板にはマグネットが取付けられていることも好ましい。
【考案の効果】
【００１０】
上記の更衣用ロッカーに設置されているハンガーパイプでは、架設を担っている長腕の端部と他方の側の端部とのパイプ部分にはハンガーを用いてコートや上着などの衣服を吊るして収納できると共に、一方の側で分岐した短腕には種々の持物を吊るして収納することができ、着替えた衣服と持物とを効率よく収納することができる。短腕には、例えばトートバッグ、ショルダーバッグなどのバッグ類の他、置傘や日傘、帽子などを吊るして収納することもできる。
【００１１】
そして、扉の内面に設置されている鏡が、扉の開き方向と同一方向に鏡面を引き起こし可能に蝶着されている場合は、ロッカーの扉を全開することなく鏡面を扉から引き起こして利用することができ、隣接するロッカーを他人が使用している場合でも、ロッカーの扉を半開きの状態のままで、鏡面の向く角度を調整できるため、隣の他人を煩わすことなく、広い範囲を映すことができ、身だしなみをチェックするのに便利に使用することができる。
【００１２】
さらに、ロッカー内部の下方に二段の棚板が設置された場合は、上段の高さをロッカーの底面から４４〜５２ｃｍとし、下段の先端を奥に後退させることでロングブーツも収納可能とすることができる。そして、上段の高さはロッカー底面の配置床面からの高さを加えると、配置床面からの高さは従来品より高く、上段の棚を使用する際に屈むことがなく楽に使用できる。
【００１３】
また、扉の内面に設置された小物入れは、内部の深さが二段となっており、着替えに際して、財布やスマホとちょっとしたメイクに使用するペンやリップなどとを分けて収納するのに便利であり、外側面に取付けられたフックはヘアゴムやキーチェーンを掛けることができ便利であり、マグネットが取付けられているので扉から外して棚板に置いて使用することもできる。
【図面の簡単な説明】
【００１４】
【図１】本考案の更衣用ロッカー（３人用）の斜視外観図。
【図２】図１に示す更衣用ロッカーの正面図とＡ−Ａ線断面図。
【図３】一方の側が分岐しているハンガーパイプの例示図。
【図４】扉の内面に設置される引き起こし可能な鏡の外観説明図。
【図５】扉に内面に設置された小物入れの外観説明図。
【考案を実施するための形態】
【００１５】
以下に図面を基に、本考案の実施の形態を詳しく説明する。
【００１６】
図１は本考案の更衣用ロッカー１の斜視外観図であり、図２の左図は正面図であり、右図はＡ−Ａ線断面図である。図１、２に示す更衣用ロッカー１は３人用であり、ロッカー本体２が３個連結されており、ロッカー本体２の両側板２１、２２の内、側板２２は仕切板を兼ねている。１人用では側板２２で分離され、独立のロッカー本体となるだけで、ロッカーとしての構造は同じである。
【００１７】
ロッカー本体２には開閉可能な扉３が蝶番３４により蝶着されており、ロッカー本体２の内部の上方には、ハンガーパイプ４が両側板２１、２２の間に架設されている。ハンガーパイプ４は一方の側が長腕４１と短腕４２とに分岐しており、長腕４１の端部４３が側板２２に他方の側の端部４０が側板２１に取り付けられ、長腕４１が上の位置に、短腕４２が下の位置に配置されている。ハンガーパイプ４をこのような配置で架設することで、両側板２１、２２の間に架設されている部分は、ハンガーを用いてコートや上着などの衣服を吊るして収納するのに利用でき、短腕４２はバッグなどの持ち物や帽子を直接吊るして収納するのに便利に利用できる。さらに、側板２２に吊下げフック８を設置することで比較的小さい持物を吊るして収納でき、短腕４２と使い分けることもできる。
【００１８】
ロッカー本体２の内部の下方には、上下二段の棚板５１、５２が設置され、持ち物を置くことができる。上段の棚板５１と下段の棚板５２の前後の長さ（奥行）は前者が長く、後者が短くなっており、下段の棚板５２の先端が背部に向かって後退している。上段の棚板５１はロッカーの底面２３から４４〜５２ｃｍの高さで設置されており、下段が後退したスペースにブーツを収納することができる。さらに、ロッカーの配置床面から上段の棚板５１の高さは従来品より高く、持ち物を置いたり、持ち上げたりする際に屈む必要が無くなり、楽な動作で行うことができる。
【００１９】
ロッカー本体２には、扉３が蝶番３４により右開きに蝶着されている。図面では右開きの実施例を示しているが、更衣用ロッカー１の配置場所等によっては左開きの扉とされるが、蝶番３４の取付ける位置を扉３の側辺３５と側板２１から、側辺３６と側板２２に変更することや、把手３３やハンガー４の分岐した方向を左右逆に設置することなど、開き方向の変更に伴う構造の変更は容易に想定でき、行うことができる。
【００２０】
扉３には、扉板を補強するための扉骨３１が、扉の内面の中央部に設置されており、この扉骨３１に沿って、鏡６と小物入れ７とが設置されている。そして、図２に示すように鏡６と小物入れ７とは、それぞれ扉３に取付けられた係止フック３７と３８により係止され、点線で示すように、その位置を調整することができる。さらに、扉３を種々の色に塗装し、塗装色に合わせて通気口３２を種々のデザインとすることにより、更衣室の雰囲気を晴れやかな雰囲気とすることもできる。また、把手３３には、錠が取付けられるが、ダイヤル錠とすることにより、鍵の持ち運びの煩わしさを解消することもできる。
【００２１】
前記したようにハンガーパイプ４は一方の側が長腕４１と短腕４２とに分岐した形状であるが、種々の形状が想定され、それらの例を図３に示す。図３の（ａ）は図１、２に示し形状であり、（ｂ）、（ｃ）等の形状であってもよく、長腕４１の端部４３と、他方の端部４０とで架設され、短椀４２が下の位置になっておればよい。さらに、（ｄ）に示すように短椀４２が取り付けスリーブ４４により、端部４０と長腕４１の端部４３の間に取付ける形状であってもよい。その他の変形も、上記の長椀４１と短椀４３の要件を満たすものであれば使用できる。
【００２２】
図４は、扉側辺３５が蝶着され、右開きである扉３の内面に設置される鏡６の説明図である。鏡６は左図に示すように鏡面６１を保持するための鏡面保持体６２と取付け板６３が蝶着側面６４で蝶着されている。取付け板６３の背面には係止金具６５が取り付けられており、図２に示した扉３の内面に取付けられたフック３７と噛み合わせることにより、鏡６を扉３の内面に係止することができる。図４の右図に示すように、鏡面６１の側から見て右側が蝶着側辺６４となっており、扉３の内面に取付けられた鏡６の鏡面６１は鏡面保持体６２と共に、矢印で示すように、手前の方に引き起こすことができる。このように鏡面６１は扉３の右開き方向と同一の右方向に開くことができる。そのため、扉３を大きく開くこともなく、鏡面６１を手前に引き上げることで鏡面６１の角度を調整し、自身の姿を映すことができる。扉３が左開きの時は、鏡６は鏡面６１の側から見て左側の側辺を蝶着して同様な作用効果とすることができる。
【００２３】
図５は、小物入れ７の外観説明図であり、扉３の内面に設置されている。収納部７１は入れ子７２を入れて、深さを２段として、財布やスマホとメイク用のペンやリップとを整理区別して一時置きできるようにしてあり、さらには外側面にはフック７３が取付けられてヘアゴムやキーチェーンが掛けられるようになっている。そして棚板５１がスチール製であれば、底板７４にはマグネットを取り付け、扉３より取外して、棚板５１の上に固定して使用することもできる。
【産業上の利用可能性】
【００２４】
本考案の更衣用ロッカーは、前記したように女性の衣類や持物に配慮した女性用ロッカーとして好ましく用いられるものではあるが、女性に限られることなく、男女を問わず便利に用いることができるものである。
【符号の説明】
【００２５】
１  更衣用ロッカー                  ２  ロッカー本体
２１  側板                          ２２  側板（仕切板兼用）
２３  底面
３  扉                            ３１  扉骨
３２  通気口                        ３３  把手
３４  蝶番                          ３５、３６  扉側辺
３７、３８  係止フック
４  ハンガーパイプ                ４０  端部
４１  長腕                          ４２  短腕  
４３  長腕の端部                    ４４  取付けスリーブ
５１  棚板（上段）                  ５２  棚板（下段）
６  鏡セット                      ６１  鏡面
６２  鏡面保持体                    ６３  取付け板
６４  蝶着側辺                      ６５  係止金具
７  小物入れ                      ７１  収納部
７２  入れ子                        ７３  フック
７４  底板
８  吊下げフック
【図１】
0003221463.tif 000003
【図２】
0003221463.tif 000004
【図３】
0003221463.tif 000005
【図４】
0003221463.tif 000006
【図５】
0003221463.tif 000007